(57)【要約】【課題】  本発明は、下側鏡フレーム４０内に水が溜まることなく、且つ壁面２の清掃中などに鏡フレーム４０の下端をスポンジなどで引っ掛けた場合であっても、鏡フレーム４０の固定が外れることがない浴室用鏡のフレーム取付構造を提供することを目的とする。【解決手段】  壁面２に固定される固定部２１と、鏡３の下端が載置される鏡載置部２２と、鏡載置部２２の前端から上方に向かって折曲された掛止部２３とを有する下側鏡止め具２０と、下側鏡止め具２０に対して一体的に取り付けられ、下側鏡止め具２０よりも下方に第１の係合部３４が配置された補強具３０と、下端部が壁面２と離間した状態で、鏡３の表面側下縁部、下側鏡止め具２０、および補強具３０を掩蔽することが可能な樹脂製の鏡フレーム４０と、を備え、鏡フレーム４０は、掛止部２３に掛止される折り返し部４２と、第１の係合部３４と係合可能な第２の係合部４３とで固定されている。【選択図】  図１０
2010273815.tif 000002
【特許請求の範囲】
【請求項１】
浴室の壁面に取り付けられる鏡の正面側下縁部を掩蔽するための浴室用鏡フレームの取付構造であって、
背面側が前記壁面に対して固定される固定部と、前記固定部から正面側に向かって延出し前記鏡の下端が載置される鏡載置部と、前記鏡載置部から上方に向かって延出した掛止部とを有する下側鏡止め具と、
前記壁面に対して固定されるとともに、前記下側鏡止め具の下方位置に第１の係合部を有する補強具と、
前記壁面側の端部が前記壁面との間に排水用隙間を形成し、前記鏡の正面側下縁部、前記下側鏡止め具、および前記補強具を掩蔽する樹脂製の下側鏡フレームと、を備え、
前記下側鏡フレームは、上端部に前記掛止部に掛止する折り返し部を有し、上端部と下端部の上下方向の間に前記第１の係合部と係合する第２の係合部を有する
ことを特徴とする浴室用鏡のフレーム取付構造。
【請求項２】
前記第１の係合部は上方に向かって突出形成された第１の爪部を有し、
前記第２の係合部は下方に向かって突出形成された第２の爪部を有し、
前記第２の係合部は前記第１の係合部よりも上方位置に配置される
ことを特徴とする請求項１記載の浴室用鏡のフレーム取付構造。
【請求項３】
前記下側鏡止め具および前記補強具の少なくともいずれか一方には、互いを嵌合するとともに、互いの相対的な位置関係を規定する嵌合部を有することを特徴とする請求項１または２記載の浴室用鏡のフレーム取付構造。
【発明の詳細な説明】
【技術分野】
【０００１】
本発明は、浴室の壁面に取り付けられる鏡の正面側下縁部を掩蔽するための浴室用鏡のフレーム取付構造に関する。
【背景技術】
【０００２】
従来、浴室の壁面に取り付けられる鏡の周縁部を掩蔽するために、樹脂製の鏡フレームを取り付けたものが知られている。樹脂製の鏡フレームを用いることは、アルミ等の金属製のものに比べて安価に製造できるという利点がある。
【０００３】
特許文献１には、背面側が壁面に当接した状態でネジ固定される固定部と、固定部から正面側に向かって延出形成した底部と、 底部の正面側端部から上方に向かって延出形成し鏡正面の下縁部を掩蔽する見え掛り部と、見え掛り部の上端が背面側且つ下方側へ折り返され、鏡取付材の前面を構成する掛止部に引っ掛け固定される折り返し部と、見え掛り部中段やや下方から壁面側へ水平に延出し鏡取付材の下端を支持するための載置部と、を備えた樹脂製の下側鏡フレームが開示されている。
【０００４】
特許文献１に開示された下側鏡フレームは、底部の前端および後端からそれぞれ固定部および見え掛り部が延出する形態となっている。従って、下側鏡フレーム内に流れ込んだ水は、底部上に留まりやすく、それに起因してカビが発生するといった虞があった。
【０００５】
そこで、図１３に示すように、下側鏡フレーム４００の下端部を壁面２００から離間させて排水用隙間４１０を形成し、下側鏡フレーム４００の上端に形成された折り返し部４２０を、鏡３００の下端を支持するための鏡取付材２００の掛止部２３０に引っ掛けて固定する方法が考えられる。この排水用隙間４１０により、下側鏡フレーム４００内に流れ込んだ水を抜くことは可能となるが、下側鏡フレーム４００の固定に関し問題が生じる。すなわち、下側鏡フレーム４００は、折り返し部４２０のみで鏡取付材に固定されるため、例えば壁面２００を掃除する際に、スポンジなどの清掃具によって下側鏡フレーム４００の下端を引っ掛けてしまうと、下側鏡フレーム４００が剛性の低い樹脂製であることから折り返し部４２０が変形し、下側鏡フレーム４００が鏡取付材２００から容易に外れてしまう。
【先行技術文献】
【特許文献】
【０００６】
【特許文献１】特開２００６−９４９３９号公報
【発明の概要】
【発明が解決しようとする課題】
【０００７】
本発明は、上述した課題に鑑み、下側鏡フレーム内に水が溜まることなく、且つ下側鏡フレームを確実に固定することができる浴室用鏡のフレーム取付構造を提供することを目的とする。
【課題を解決するための手段】
【０００８】
上記課題を解決するために、本発明の請求項１によれば、浴室の壁面に取り付けられる鏡の正面側下縁部を掩蔽するための浴室用鏡フレームの取付構造であって、背面側が前記壁面に対して固定される固定部と、前記固定部から正面側に向かって延出し前記鏡の下端が載置される鏡載置部と、前記鏡載置部から上方に向かって延出した掛止部とを有する下側鏡止め具と、前記壁面に対して固定されるとともに、前記下側鏡止め具の下方位置に第１の係合部を有する補強具と、下端部が前記壁面との間に排水用隙間を形成し、前記鏡の正面側下縁部、前記下側鏡止め具、および前記補強具を掩蔽する樹脂製の下側鏡フレームと、を備え、前記下側鏡フレームは、上端部に前記掛止部に掛止する折り返し部を有し、上端部と下端部の上下方向の間に前記第１の係合部と係合する第２の係合部を有することを特徴とする浴室用鏡のフレーム取付構造を提供する。
【０００９】
この態様によれば、下側鏡フレームの壁面側の端部と壁面との間に排水用隙間が形成されているため、下側鏡フレーム内に流れ込んだ水を排水用隙間から抜くことができる。さらに、下側鏡フレームは、掛止部で鏡止め具の折曲部と、第２の係合部で補強具の第１の係合部とで、それぞれ固定されているため、例えば下側鏡フレームの下端と壁面との間の排水用隙間に清掃用のスポンジなどを引っ掛けた場合等でも、下側鏡フレームが外れることがないよう確実に固定することができる。
【００１０】
また、本発明の請求項２によれば、前記第１の係合部は上方に向かって突出形成された第１の爪部を有し、前記第２の係合部は下方に向かって突出形成された第２の爪部を有し、前記第２の係合部は前記第１の係合部よりも上方位置に配置されることを特徴とする浴室用鏡のフレーム取付構造を提供する。
【００１１】
この態様によれば、第２の係合部の下方に第１の係合部が配置されている。下側鏡フレームの壁面側の端部を正面側に向けて引っ張った場合、下側鏡フレームは下側鏡止め具の掛止部に掛止している上端部を中心として回転し、第２の係合部がその動きに追随して下方へ移動しようとする。しかしながら、この第２の係合部の移動は第１の係合部によって妨げられ、さらに、第１の係合部の第１の爪部と、第２の係合部の第２の爪部とが深く噛み合うことになるため、係合が外れることがなく、下側鏡フレームをより確実に固定することができる。
【００１２】
また、本発明の請求項３によれば、前記下側鏡止め具および前記補強具の少なくともいずれか一方には、互いを嵌合するとともに、互いの相対的な位置関係を規定する嵌合部を有することを特徴とする浴室用鏡のフレーム取付構造を提供する。
【００１３】
この態様によれば、鏡止め具と補強具の相対位置が嵌合部によって容易に規定されるため、下側鏡フレームの掛止部と第２の係合部を正確な位置に固定することができ、下側鏡フレームをより確実に固定することができる。
【発明の効果】
【００１４】
本発明によれば、下側鏡フレーム内に水が溜まることなく、且つ下側鏡フレームを確実に固定することができる浴室用鏡のフレーム取付構造を提供できる。
【図面の簡単な説明】
【００１５】
【図１】本発明に係る鏡フレームを備えた浴室ユニットの概略図
【図２】本発明に係る鏡フレーム取付構造を示す分解斜視図
【図３】本発明に係る鏡フレームの取付状態を示す正面図
【図４】（ａ）上側鏡止めが上方位置にある状態  （ｂ）上側鏡止めが下方位置にある状態
【図５】本発明に係る鏡フレーム取付構造の取付手順を示す図
【図６】下側鏡止め具及び補強具が分解された状態を示す斜視図
【図７】下側鏡止め具及び補強具が壁面に固定される状態を示す断面図
【図８】下側鏡止め具及び補強具が壁面に固定される状態を示す斜視図
【図９】下側鏡止め具及び補強具が一体化された状態を示す正面図
【図１０】下側鏡フレームの断面図
【図１１】下側鏡フレームが固定される状態を示す断面図
【図１２】鏡が設置された状態を示す図
【図１３】従来の鏡フレーム取付構造を示す図
【発明を実施するための形態】
【００１６】
以下、本発明の実施の形態について図面を参照しつつ説明する。なお、各図面中、同様の構成要素には同一の符号を付して詳細な説明は適宜省略する。
【００１７】
図１は、本発明に係る鏡フレームを備えた浴室ユニットの概要を示す図である。図１に示すように、浴室ユニットの壁面２に対して鏡３が固定されており、鏡３の上縁部および下縁部を、それぞれ上側鏡フレーム７と下側鏡フレーム４０で掩蔽している。
【００１８】
図２は、本発明に係る鏡フレームの取付構造を示す分解斜視図である。図３は、本発明に係る鏡フレームの取付状態を示す正面図である。図２、図３に示すように、鏡３の下部には複数の下側鏡止め具２０が間隔を空けて水平状に壁面に固定されており、鏡３の上部にも同様に複数の上側鏡止め具５が間隔を空けて水平状に壁面に固定されている。尚、詳細は後述するが、下側鏡止め具２０は、別体で形成された補強具３０と一体化された状態で壁面２に固定される。
【００１９】
図４に示すように、上側鏡止め具５は、壁面２に固定された状態で、上方位置と下方位置とを切り替え可能なように鉛直方向にスライド可能となっている。つまり、図５に示すように上側鏡止め具５と、下側鏡止め具２０および補強具３０を所定の間隔となるように壁面２に対してネジ固定し、上側鏡止め具５を上方位置にした状態で鏡３を上側鏡止め具５と下側鏡止め具２０の間に設置し、次いで上側鏡止め具５を下方位置に移動させる。この手順で上下の鏡止め具５、２０に対して鏡３を固定することができる。
【００２０】
上側鏡フレーム７は、鏡３が固定された状態で鏡３の上方から鏡３の上端を間に挟み込むように差し込まれ取り付けられる。一方、下側鏡フレーム４０は、鏡３を設置する前に、下側鏡止め具２０および補強具３０に対して固定される。
【００２１】
図６は、下側鏡止め具２０と補強具３０の斜視図である。図７は、下側鏡止め具２０と補強具３０が壁面に取り付けられる際の状態を示す断面図である。図８は、複数の下側鏡止め具２０と補強具３０が壁面に取り付けられる際の状態を示す断面図である。図９は、下側鏡止め具２０及び補強具３０が一体化された状態を示す正面図である。
【００２２】
図６〜図９に示すように、下側鏡止め具２０は、壁面２に沿って形成され、背面側が壁面２に対してネジ固定するためのネジ孔２５が形成された固定部２１と、固定部２１の下端から正面側に向かって水平状に延出され、鏡３の下端を支持するための鏡載置部２２と、鏡載置部２２の前端から上方に向かって延出され、鏡３の下縁部正面側と当接する掛止部２３と、を備えている。下側鏡止め具２０の固定部２１には、正面側に向かって傾斜状に突出した弾性変形可能なストッパー部２６が形成されている。このストッパー部２６は、鏡３が下側鏡止め具２０に設置された状態で、鏡３を掛止部２３側に向けて押し付ける力を作用させる。また、固定部２１の上部には鉛直方向に形成された一対の切り欠き２７が形成されている。
【００２３】
補強具３０は、壁面２に沿って形成され、下側鏡止め具２０の固定部２１の背面と壁面との間に装着される介装部３１と、下側鏡止め具２０の鏡載置部２２よりも下方の離間した位置に配置され、介装部３１の下端から正面側に向かって水平状に延出された突出部３２と、突出部３２の先端から上方側且つ壁面（背面）側に向かって傾斜した第１の係合部３３（第１の爪部３４）と、を備えている。第１の係合部３３と下側鏡止め具２０の鏡載置部２２とは離間して配置されている。
【００２４】
補強具３０の介装部３１には、ネジ孔３５が形成されており、下側鏡止め具２０のネジ孔２５と連通するように配置されている。下側鏡止め具２０と補強具３０は、それぞれのネジ孔２５、３５を介して壁面２にネジ固定されている。
【００２５】
また、補強具３０の介装部３１の上部には、正面側に向かって突出形成された
一対の位置決めリブ３６が形成されている。図９に示すように、下側鏡止め具２０の上端に形成された一対の切り欠き２７内に補強具３０の一対の位置決めリブ３６を背面側から差し込むことで、下側鏡止め具２０と補強具３０の相対的な位置関係を規定することができる。このように、位置決めリブ３６と切り欠き２７を嵌合させることで、別体で形成された掛止部２３と第１の係合部３３を所定の位置関係に配置することができる。
【００２６】
図１０は、下側鏡フレーム４０を示す断面図である。下側鏡フレーム４０は鏡３の下端と略同一長さを持った長尺状の樹脂成形品であり、押し出し成形によって製造されるため、断面が長さ方向に対して同形状になっている。図１０に示すように下側鏡フレーム４０は断面略Ｌ字状に形成され、鏡３の下縁部、下側鏡止め具２０、および補強具３０を掩蔽するための掩蔽部４１と、掩蔽部４１の上端から後方側且つ下方側に向かって略１８０度、折り返された折り返し部４２と、掩蔽部４１の上下方向の中間位置に補強具３０の第１の係合部３３と係合可能なように背面側に向かって突出形成され、先端に下方側且つ正面側に向かって傾斜した第２の係合部４３（第２の爪部４４）とを備える。
【００２７】
図１１は、下側鏡フレーム４０が、下側鏡止め具２０および補強具３０に対して固定される状態の変遷を示した断面図である。
【００２８】
まず、下側鏡フレーム４０を傾けた状態で、下側鏡フレーム４０の折り返し部４２を、下側鏡止め具２０の掛止部２３に引っ掛ける。次いで、下側鏡フレーム４０の折り返し部を軸にして、下側鏡フレーム４０の第２の係合部４３を、下側鏡止め具２０の鏡載置部２２と補強具３０の突出部３２の間に差込む。この際、第１の係合部３３と第２の係合部４３のそれぞれが僅かに弾性変形することで、第２の爪部４４が、第１の爪部３４を乗り越えることができる。
【００２９】
このように、下側鏡フレーム４０は、上端が折り返し部４２で下側鏡止め具２０の掛止部２３と、上下方向の中間位置で第２の係合部４３が補強具３０の第１の係合部３３と、それぞれ固定されているため、容易に外れることがない。
【００３０】
また、図１２に示すように、第１の係合部３３と第２の係合部４３が係合した状態において、下側鏡フレーム４０の下端は壁面２との間に排水用隙間７０が形成されるように離間して取り付けられる。排水用隙間７０を形成することにより、下側鏡フレーム４０に流れ込んだ水は留まることなく排水されることになる。
【００３１】
また、本発明では、下方に向かって突出形成した第２の爪部４４を有する第２の係合部４３が、上方に向かって突出形成した第１の爪部３４を有する第１の係合部３３よりも上方位置に配置している。このようにすることで、排水用隙間７０にスポンジ等の清掃具を引っ掛けて下側鏡フレーム４０の下端が正面側に引っ張られた場合であっても、金属材料から形成された比較的強度の高い第１の爪部３４で第２の係合部４３が拘束されているため、第２の係合部４３まで下側鏡フレーム４０の下端の動きが追随することがない。
【００３２】
例えば、第２の係合部４３が第１の係合部３３よりも下方位置に配置された状態で係合
している場合は、第２の係合部４３が下側鏡フレーム４０の下端の動きに追随しやすいため、係合が外れやすくなる。
【００３３】
上述したように、本発明によれば、下側鏡フレーム４０内に水が溜まることなく、且つ下側鏡フレーム４０を確実に固定することができる。
【符号の説明】
【００３４】
１…浴室ユニット、２…壁面、３…鏡、５…上側鏡止め具、７…上側鏡フレーム、２０…下側鏡止め具、２１…固定部、２２…鏡載置部、２３…掛止部、２５…ネジ孔、２６…ストッパー部、２７…切り欠き、３０…補強具、３１…介装部、３２…突出部、３３…第１の係合部、３４…第１の爪部、３５…ネジ孔、３６…位置決めリブ、４０…下側鏡フレーム、４１…掩蔽部、４２…折り返し部、４３…第２の係合部、４４…第２の爪部、７０…排水用隙間
【図１】
2010273815.tif 000003
【図２】
2010273815.tif 000004
【図３】
2010273815.tif 000005
【図４】
2010273815.tif 000006
【図５】
2010273815.tif 000007
【図６】
2010273815.tif 000008
【図７】
2010273815.tif 000009
【図８】
2010273815.tif 000010
【図９】
2010273815.tif 000011
【図１０】
2010273815.tif 000012
【図１１】
2010273815.tif 000013
【図１２】
2010273815.tif 000014
【図１３】
2010273815.tif 000015